(57)【要約】【課題】運搬する際に被収用物が潰れにくく、製造し易い包装用袋を提供する。【解決手段】包装用袋１は、花束が収用される袋本体２を備える。この袋本体２に紐状の一対の持ち手部３を設ける。袋本体は、互いに対向する第１側面部４および第２側面部５を有する。これら第１側面部４および第２側面部５の幅方向の一側縁部間に後面部６を設け、他側縁部間の一部に後面部６より長手方向の長さが短い前面部７を設ける。また、第１側面部４および第２側面部５の第２開口部10近傍に一対の持ち手部３を取り付ける。第１側面部４、第２側面部５、後面部６および前面部７それぞれの長手方向の一端部に接続した底面部を設ける。袋本体２は、底面部８の対向方向へ開口した第１開口部９、および、前面部７に連続し第１開口部９に連通した第２開口部10を有する。【選択図】図１
0003155875.tif 000002
【実用新案登録請求の範囲】
【請求項１】
被収用物が収用される袋本体と、
この袋本体に設けられた紐状の一対の持ち手部とを具備し、
前記袋本体内に前記被収用物を収用し前記一対の持ち手部を把持して運搬可能な包装用袋であって、
前記袋本体は、互いに対向する第１側面部および第２側面部と、
これら第１側面部および第２側面部の幅方向の一側縁部間に設けられた後面部と、
前記第１側面部および前記第２側面部の幅方向の他側縁部間の一部に設けられ前記後面部に対向しこの後面部より長手方向の長さが短い前面部と、
前記第１側面部、前記第２側面部、前記後面部および前記前面部それぞれの長手方向の一端部に接続された底面部と、
前記第１側面部、前記第２側面部および前記後面部それぞれの長手方向の他端部側に位置し前記底面部の対向方向へ開口した第１開口部と、
前記第１側面部および前記第２側面部の幅方向の他側縁部にて前記前面部に連続して前記第１開口部に連通した第２開口部とを有し、
前記一対の持ち手部は、前記第１側面部および前記第２側面部に取り付けられている
ことを特徴とした包装用袋
【請求項２】
第２開口部は、略矩形状に開口され、前面部側の周縁の両角部がそれぞれ弧状に形成されている
ことを特徴とした請求項１記載の包装用袋。
【請求項３】
第１側面部および第２側面部は、他側部の第２開口部に対応する部分に補強部が設けられ、
この補強部は、前記第１側面部および前記第２側面部に一体に設けられ袋本体の内側へ折り返されて接合された折返片と、この折返片の内側に配設された補強片とから形成され、
持ち手部は、前記補強部に取り付けられている
ことを特徴とした請求項１または２記載の包装用袋。
【請求項４】
折返片は、長手方向の長さが第１側面部側または第２側面部側に位置する基端部より第１側面部または第２側面部とは反対側に位置する先端部の方が短く形成され、かつ、折り返された状態にて前記先端部の第１開口部側の端部が前記第１開口部の周縁より内側に位置している
ことを特徴とした請求項３記載の包装用袋。
【請求項５】
第１側面部および第２側面部は、底面部側から第１開口部側へ向かって幅方向の長さが長くなるように形成されている
ことを特徴とした請求項１ないし４のいずれか記載の包装用袋。
【請求項６】
底面部は、補強材が設けられている
ことを特徴とした請求項１ないし５のいずれか記載の包装用袋。
【考案の詳細な説明】
【技術分野】
【０００１】
本考案は、例えば花束等の被収用物を収用して運搬する際に使用する包装用袋に関する。
【背景技術】
【０００２】
従来、この種の包装用袋としては、合成樹脂フィルムを折畳んで形成した袋状の袋本体と、この袋本体の上方に一体に設けられた一対の持ち手部としての一対の取手とから形成され、前端部、後端部および後端部と取手とを結ぶ上縁が封止され、下縁、前記後端部および前記上縁にて筒体が構成され、前記袋本体内に被収用物としての花を収用し、前記一対の取手を把持して運搬する構成のものが知られている（例えば、特許文献１参照。）。
【０００３】
また、例えば合成樹脂や薄紙などにて筒状に形成された袋本体と、この袋本体に一体に形成された一対の持ち手部としての把手部とを備え、前記袋本体は、一端側が他端側より大径に形成された胴部を有し、この胴部の一端部および他端部にはそれぞれ開口部が形成され、筒状の前記袋本体内に被収用物としての花を収用し、前記一対の取手部を把持して運搬する構成のものが知られている（例えば、特許文献２参照。）。
【先行技術文献】
【特許文献】
【０００４】
【特許文献１】特開２００８−１７４２７５号公報（第３−５頁、図２）
【特許文献２】実開昭５１−１０１８１号公報（第２−４頁、第１図，第３図）
【考案の概要】
【考案が解決しようとする課題】
【０００５】
しかしながら、上述の各構成では、袋本体に一体に持ち手部が形成されているので、運搬する際などに使用者が一対の持ち手部を把持すると、前記袋本体内の収用スペースが狭くなり被収用物が潰れてしまうおそれが考えられるとともに、前記持ち手部を形成するために前記袋本体を収用スペースに対して大きく成形する必要があり、コストの高騰や材料の大型化によって製造しにくい問題が考えられる。
【０００６】
本考案はこのような点に鑑みなされたもので、運搬する際に被収用物が潰れにくく、製造し易い包装用袋を提供することを目的とする。
【課題を解決するための手段】
【０００７】
請求項１に記載された包装用袋は、被収用物が収用される袋本体と、この袋本体に設けられた紐状の一対の持ち手部とを具備し、前記袋本体内に前記被収用物を収用し前記一対の持ち手部を把持して運搬可能な包装用袋であって、前記袋本体は、互いに対向する第１側面部および第２側面部と、これら第１側面部および第２側面部の幅方向の一側縁部間に設けられた後面部と、前記第１側面部および前記第２側面部の幅方向の他側縁部間の一部に設けられ前記後面部に対向しこの後面部より長手方向の長さが短い前面部と、前記第１側面部、前記第２側面部、前記後面部および前記前面部それぞれの長手方向の一端部に接続された底面部と、前記第１側面部、前記第２側面部および前記後面部それぞれの長手方向の他端部側に位置し前記底面部の対向方向へ開口した第１開口部と、前記第１側面部および前記第２側面部の幅方向の他側縁部にて前記前面部に連続して前記第１開口部に連通した第２開口部とを有し、前記一対の持ち手部は、前記第１側面部および前記第２側面部に取り付けられているものである。
【０００８】
請求項２に記載された包装用袋は、請求項１に記載された包装用袋において、第２開口部は、略矩形状に開口され、前面部側の周縁の両角部がそれぞれ弧状に形成されているものである。
【０００９】
請求項３に記載された包装用袋は、請求項１または２に記載された包装用袋において、第１側面部および第２側面部は、他側部の第２開口部に対応する部分に補強部が設けられ、この補強部は、前記第１側面部および前記第２側面部に一体に設けられ袋本体の内側へ折り返されて接合された折返片と、この折返片の内側に配設された補強片とから形成され、持ち手部は、前記補強部に取り付けられているものである。
【００１０】
請求項４に記載された包装用袋は、請求項３に記載された包装用袋において、折返片は、長手方向の長さが第１側面部側または第２側面部側に位置する基端部より第１側面部または第２側面部とは反対側に位置する先端部の方が短く形成され、かつ、折り返された状態にて前記先端部の第１開口部側の端部が前記第１開口部の周縁より内側に位置しているものである。
【００１１】
請求項５に記載された包装用袋は、請求項１ないし４のいずれかに記載された包装用袋において、第１側面部および第２側面部は、底面部側から第１開口部側へ向かって幅方向の長さが長くなるように形成されているものである。
【００１２】
請求項６に記載された包装用袋は、請求項１ないし５のいずれかに記載された包装用袋において、底面部は、補強材が設けられているものである。
【考案の効果】
【００１３】
請求項１に記載された考案によれば、袋本体とは別部材である紐状の一対の持ち手部を具備し、前記袋本体は、第１側面部と第２側面部との一側縁部間に後面部が設けられ、他側縁部間に前面部が設けられていることにより、前記一対の持ち手部を把持しても前記袋本体内の収用スペースが狭くなりくいので、前記袋本体内の被収用物を潰れにくくできる。また、前記袋本体と前記持ち手部とが別部材であることにより、前記第１側面部および前記第２側面部を収用スペースに対して大きくなりすぎないようにできるので、前記袋本体の大型化を防止でき製造しやすい。
【００１４】
請求項２に記載された考案によれば、第２開口部の周縁の前面部側の両角部がそれぞれ弧状に形成されているので、被収用物を出し入れする際に前記第２開口部を拡げることによる前記両角部の破損を防止できる。
【００１５】
請求項３に記載された考案によれば、第１側面部および第２側面部の他側部の第２開口部に対応する部分に補強部が設けられ、これら補強部に持ち手部が取り付けられているので、被収用物を袋本体に収用し前記持ち手部を把持して運搬する際に、前記持ち手部の取り付け箇所の破損を防止できる。
【００１６】
請求項４に記載された考案によれば、折返片は、長手方向の長さが基端部より先端部の方が短く形成され、かつ、折り返された状態にて前記先端部の第１開口部側の端部が前記第１開口部の周縁より内側に位置しているので、前記折返片を接合した状態にて、前記先端部の第１開口部側の端部が前記第１開口部の周縁から突出することを防止できる。
【００１７】
請求項５に記載された考案によれば、第１側面部および第２側面部が底面部側から第１開口部側へ向かって幅方向の長さが長くなるように形成されているので、袋本体に被収用物を確実に収用できる。
【００１８】
請求項６に記載された考案によれば、底面部に補強材が設けられていることにより、前記底面部の耐久性や耐水性を向上できるので、前記底面部の破損を防止できる。
【図面の簡単な説明】
【００１９】
【図１】本考案の一実施の形態に係る包装用袋の構成を示す斜視図である。
【図２】同上包装用袋を示す斜視図である。
【図３】同上包装用袋の第２開口部を示す部分平面図である。
【図４】同上包装用袋の展開状態を示す展開図である。
【図５】同上包装用袋の折り畳んだ状態を示す斜視図である。
【図６】本考案の第２の実施の形態に係る包装用袋の展開状態を示す展開図である。
【考案を実施するための形態】
【００２０】
以下、本考案の一実施の形態の構成について図１ないし図５を参照しながら詳細に説明する。
【００２１】
図１および図２において、１は包装用袋であり、この包装用袋１は、一部が開口した袋状の袋本体２を備え、この袋本体２には、紐状の一対の持ち手部３が取り付けられている。
【００２２】
そして、使用者は、袋本体２内に被収用物としての花束Ｆを収用し、紐状の一対の持ち手部３を把持して包装用袋１を運搬可能である。
【００２３】
袋本体２は、例えばポリエチレンやポリプロピレンなどの合成樹脂シート、紙、織布および不織布などにて形成されている。
【００２４】
袋本体２は、互いに対向する第１側面部４および第２側面部５を有し、これら第１側面部４および第２側面部５は、花束Ｆを袋本体２に収用した状態において花束Ｆの両側に位置する。また、第１側面部４および第２側面部５には、それぞれ紐状の持ち手部３が取り付けられている。
【００２５】
第１側面部４および第２側面部５の幅方向の一側縁部間には、花束Ｆを収用して持ち手部３を把持した状態において花束Ｆを受ける後面部６が設けられている。また、第１側面部４および第２側面部５の幅方向の他側縁部間の一部には、後面部６に対向する前面部７が設けられている。
【００２６】
さらに、袋本体２は、第１側面部４、第２側面部５、後面部６および前面部７それぞれの長手方向の一端部に接続し、花束Ｆを袋本体２に収用した際に、花束Ｆの一端部側である茎側に位置する底面部８が設けられている。
【００２７】
また、袋本体２には、第１側面部４、第２側面部５および後面部６それぞれの長手方向の他端部側に位置し、底面部８の対向方向へ開口した第１開口部９が設けられている。
【００２８】
さらに、袋本体２には、第１側面部４および第２側面部５の幅方向の他側縁部にて前面部７に連続して、第１開口部９に連通した第２開口部10が設けられている。
【００２９】
第１側面部４および第２側面部５は、略矩形状であり、長手方向の一端部が底面部８に接続され、長手方向の他端部が第１開口部９の周縁の一部になり、底面部８側から第１開口部９側へ向かって幅方向の長さが長くなるように形成されている。
【００３０】
また、第１側面部４および第２側面部５は、幅方向の一側縁部に後面部６が接続され、幅方向の他側縁部における略中央部より底面部８側には前面部７が接続され、幅方向の他側縁部における略中央部より第１開口部９側は、第２開口部10の周縁の一部になる。
【００３１】
さらに、第１側面部４および第２側面部５の他側の第２開口部10に対応する部分には、補強部12，13が設けられ、この補強部12，13には、持ち手部３を取り付けるための図示しない略円形状の取付孔が形成されている。
【００３２】
補強部12，13は、第１側面部４に一体に設けられ袋本体２の内側へ折曲されて接合された折返片14、または、第２側面部５に一体に設けられ袋本体２の内側へ折曲されて接合された折返片15と、これら折返片14または折返片15の内側に配設された図示しない厚紙などの芯材とから形成されている。
【００３３】
折返片14，15は、長手方向の長さが、第１側面部４側または第２側面部５側に位置する基端部より第１側面部４または第２側面部５とは反対側に位置する先端部の方が短く形成されている。また、折返片14，15は、折り返された状態にて、先端部の第１開口部９側の端部が、第１開口部９の周縁である第１側面部４および第２側面部５における長手方向の他端部より内側、すなわち、底面部８側に位置している。
【００３４】
後面部６は、略矩形状であり、長手方向の一端部が底面部に接続され、長手方向の他端部が第１開口部９の一部となる。また、幅方向の一側縁部には第１側面部４が接続され、幅方向の他側縁部には第２側面部５が接続されている。
【００３５】
前面部７は、略矩形状であり、長手方向の長さが後面部６の長手方向の長さより短く形成されている。また、前面部７の長手方向の一端部には底面部８が接続され、長手方向の他端部は第２開口部10の周縁の一部となる。さらに、幅方向の一側部には第１側面部４が接続され、幅方向の他側部には第２側面部５が接続されている。
【００３６】
底面部８は、略矩形状であり、第１側面部４の長手方向の一端部、第２側面部５の長手方向の一端部、後面部６の長手方向の一端部および前面部７の長手方向の一端部がそれぞれ接続されている。また、底面部８の内面側には、花束Ｆの茎の接触などによる底面部８の破損を防止するための図示しないシート状の補強材が設けられている。
【００３７】
補強材は、底面部８と同様の略矩形状であり、例えば、合成樹脂シート、紙、織布および不織布などにて適宜形成される。なお、補強材は、被収用物として例えば花束Ｆを収用する場合に花束Ｆに付着した水分などを考慮すると、防水性が良好な材料にて形成することが好ましい。
【００３８】
第１開口部９は、第１側面部４および第２側面部５の長手方向の他端部と、後面部６の長手方向の他端部とによって周縁が形成されている。また、第１開口部９は、通常状態では、底面部８の対向方向へ向かって略矩形状に開口しており、例えば、花束Ｆを収用する際などに必要に応じて、変形して拡げることができる。
【００３９】
第２開口部10は、第１側面部４および第２側面部５の他側縁部における略中央部より第１開口部９側と、前面部７の長手方向の他端部とによって周縁が形成され、開口方向が第１開口部９とは異なり、後面部６の対向方向へ開口している。また、第２開口部10は、通常状態では、略矩形状に開口しており、例えば、花束Ｆを収用する際などに必要に応じて、変形して拡げることができる。
【００４０】
ここで、図３に示すように、第２開口部10は、前面部７側の周縁の両角部、すなわち、前面部７の長手方向の他端部と第１側面部４の幅方向の他側縁部とによって形成される角部、および、前面部７の長手方向の他端部と第２側面部５の幅方向の他側縁部とによって形成される角部が、弧状に形成されている。
【００４１】
図４は、袋本体２を構成する袋本体片17の展開状態を示し、この図４に示すように、袋本体片17は、後面片18、第１側面片19、前面片20、前面片21、第２側面片22および後面片23が順次一体に設けられている。
【００４２】
この袋本体片17は、後面片18および後面片23の長手方向の一端部と、第１側面片19および第２側面片22の長手方向の一端部と、前面片20および前面片21の長手方向の一端部とが連続して配置されている方が底面部８側になり、後面片18の長手方向の他端部と第１側面片19の長手方向の他端部とが連続して配置され、後面片23の長手方向の他端部と第２側面片22の長手方向の他端部とが連続して配置されている方が第１開口部９側になる。
【００４３】
また、袋本体片17は、後面片18と第１側面片19との間に折曲線25が設けられ、第１側面片19と前面片20との間に折曲線26が設けられ、前面片21と第２側面片22との間に折曲線27が設けられ、第２側面片22と後面片23との間に折曲線28が設けられている。
【００４４】
後面片18は、略矩形状である。この後面片18の底面部８側の端部よりやや内側には幅方向に沿って後面折込線31が設けられ、この後面折込線31より底面部８側には後面折込部32が設けられている。
【００４５】
第１側面片19は、略矩形状であり、底面部８側から第１開口部９側へ向かって幅方向の長さが順次長く形成されている。また、第１側面片19は、底面部８側の端部よりやや内側に、後面折込線31の端部から幅方向に延びる側面折込線33が設けられ、この側面折込線33より底面部８側には側面折込部34が設けられている。さらに、第１側面片19は、前面片20側の側縁部のおける略中央部から第１開口部９側、すなわち、前面片20に接続していない部分に、長手方向へのびる折返線35が設けられ、この折返線35より後面片18とは反対側には折返片14が設けられている。
【００４６】
この折返片14は、略矩形状であり、長手方向の長さが、第１側面片19側に位置する基端部、すなわち、折返線35より、第１側面片19とは反対側に位置する先端部の長さの方がやや短く形成されている。
【００４７】
前面片20は、略矩形状であり、長手方向の長さが後面片18の長手方向の長さより短く形成されている。また、前面片20は、長手方向の底面部８側の端部よりやや内側に側面折込線33の端部から幅方向に延びる前面折込線36が設けられ、この前面折込線36より底面部８側に前面折込部37が設けられている。
【００４８】
前面片20と前面片21とは折畳線38にて区切られ、前面片21は、折畳線38を中心に前面片20と対称に形成されており、底面部８側の端部よりやや内側に前面折込線36の端部から幅方向に延びる前面折込線39が設けられ、この前面折込線39より底面部８側に前面折込部40が設けられている。
【００４９】
第２側面片22は、第１側面片19と対称に形成され、第２側面片22は、底面部８側の端部よりやや内側に、前面折込線39の端部から幅方向に延びる側面折込線41が設けられ、この側面折込線41より底面部８側には側面折込部42が設けられている。また、第２側面片22は、前面片21側の側縁部のおける前面片21に接続していない部分に、長手方向へのびる折返線43が設けられ、この折返線43より後面片23とは反対側には、折返片14と対称に折返片15が設けられている。
【００５０】
後面片23は、後面片18と略対称であるが、幅方向の長さが後面片18より長く形成されている。また、後面片23は、底面部８側の端部よりやや内側に、側面折込線41の端部から幅方向に延びる後面折込線44が設けられ、この後面折込線44より底面部８側には後面折込部45が設けられている。さらに、後面片23は、第２側面片22とは反対側の側縁部よりやや内側に長手方向に沿って折畳線46が設けられ、この折畳線46より第２側面片22とは反対側に接合部47が設けられている。
【００５１】
そして、袋本体片17は、折曲線26および折曲線27にて第１側面片19と第２側面片22とが対向するように折曲可能であり、折曲線25にて後面片18と前面片20とが対向するように折曲可能であり、折曲線28にて後面片23と前面片21とが対向するように折曲可能である。
【００５２】
また、袋本体２は、このように袋本体片17が折曲され、後面片23の接合部47が後面片18に接合されることにより、後面片18および後面片23にて後面部６が構成され、第１側面片19にて第１側面部４が構成され、第２側面片22にて第２側面部５が構成され、前面片20および前面片21にて前面部７が構成されるとともに、後面片18の他端部、第１側面片19の他端部、第２側面片22の他端部および後面片23の他端部にて第１開口部９の周縁が構成される。
【００５３】
さらに、袋本体２は、袋本体片17の折返片14および折返片15が折返線35および折返線43にて内側へ折り返され、折返片14，15の内側に芯材が配設された状態で、折返片14を第１側面片19の内側に接合することにより補強部12が構成され、折返片15が第２側面片22の内側に接合されることにより補強部13が構成されるとともに、前面片20の他端部、前面片21の他端部、折返線35および折返線43により、第２開口部10の周縁が構成される。
【００５４】
また、袋本体片17は、後面折込線31、側面折込線33、前面折込線36、前面折込線39、側面折込線41および後面折込線44にて、後面折込部32、側面折込部34、前面折込部37、前面折込部40、側面折込部42および後面折込部45を内側へ折り込み可能である。折り込んだ状態にて、後面折込部32、側面折込部34、前面折込部37、前面折込部40、側面折込部42および後面折込部45の外側面に図示しない底面片を接合することにより、底面部８が構成されて、第１開口部９および第２開口部10が開口した袋状の袋本体２が形成される。
【００５５】
そして、このように形成された袋本体２の第１側面部４の補強部12、および、第２側面部５の補強部13にそれぞれ取付孔を形成して、これら取付孔に紐状の持ち手部が取り付けられることにより、図１に示すような包装用袋１が構成される。
【００５６】
この包装用袋１の不使用時には、図５に示すように、後面部６を折畳線46にて折り畳み、前面部７を折畳線38にて折り畳むとともに、底面部８を第２側面部５側へ折り畳んで、袋本体２をコンパクトにすることが可能である。
【００５７】
次に、上記一実施の形態の作用を説明する。
【００５８】
包装用袋１にて花束Ｆを収用する際には、まず、袋状の袋本体２の第１側面部４の他端部と第２側面部５の他端部とを互いに離間させるようにして、第１開口部９および第２開口部10を拡げる。
【００５９】
次いで、第１開口部９および第２開口部10から袋本体２内に花束Ｆを挿入し、袋本体２内に花束Ｆを収用する。収用された花束Ｆは、茎側が底面部８側に配置され、花弁側が第１開口部９側に配置される。
【００６０】
このように花束Ｆを袋本体２内に収用した状態にて、一対の持ち手部３の一部を束ねるように持ち手部３を把持し、包装用袋１を運搬する。
【００６１】
そして、包装用袋１は、袋本体２とは別部材である紐状の一対の持ち手部３を具備し、袋本体２は、第１側面部４および第２側面部５における一側縁部間に後面部６が設けられ、他側縁部間に前面部７が設けられていることにより、把持した力が上述した従来の構成のもののように第１側面部４および第２側面部５に直接作用しない。すなわち、把持した力が紐状の持ち手部３に吸収されて第１側面部４および第２側面部５に伝わりにくく、紐状の持ち手部３における把持された部分が第１側面部４および第２側面部５に対して接近するので、第１側面部４と第２側面部５とが接近されにくくなる。また、第１側面部４と第２側面部５との一側縁部間に後面部６が設けられ、他側縁部間に前面部７が設けられているので、第１側面部４と第２側面部５との離間距離を前面部７および後面部６にて保持できる。したがって、袋本体２に花束Ｆを収用し一対の持ち手部３を把持しても、持ち手部３による把持した力の吸収効果と、前面部７および後面部６による離間距離保持効果とにより、第１側面部４と第２側面部５とが接近しににくく、袋本体２内の収用スペースが狭くなりにくいので、花束Ｆを潰れにくくできる。
【００６２】
また、包装用袋１は、袋本体２と持ち手部３とが別部材であることにより、各部材を最適な大きさに設計でき、第１側面部４および第２側面部５が袋本体２内の収用スペースに対して大きくなりすぎないので、袋本体２の大型化を防止できる。したがって、材料の大型化により必要以上にコストが高騰することを防止できるとともに、材料の大型化により製造の際に袋本体２を構成する材料が扱いにくくなることを防止できるので、包装用袋１を製造しやすくできる。
【００６３】
さらに、包装用袋１は、持ち手部３を把持して運搬するので、運搬中に袋本体２を、後面部６および前面部７が水平な状態、または、後面部６および前面部７が傾斜した状態に保持でき、底面部８が地面に接触することを防止できる。
【００６４】
袋本体２は、第１開口部９および第２開口部10が開口した袋状に構成されていることにより、２方向に拡げることができるので、花束Ｆを出し入れしやすい。
【００６５】
ここで、袋本体２に花束Ｆを出し入れする際等に第２開口部10を拡げると、第２開口部10の前面部７側の周縁の両角部に拡げた際の力が作用しやすく、両角部が破損しやすいが、第２開口部10の前面部７側の周縁の両角部が弧状に形成されているので、第２開口部10を拡げることによる両角部の破損を防止できる。
【００６６】
第１側面部４および第２側面部５には、第２開口部10に対応する部分に補強部12，13が設けられ、これら補強部12，13に持ち手部３が取り付けられているので、花束Ｆを袋本体２に収用し持ち手部３を把持して運搬する際に、持ち手部３の取り付け箇所の破損を防止できる。
【００６７】
補強部12，13は、折返片14，15の長手方向の長さが、第１側面部４側または第２側面部５側に位置する基端部より第１側面部４または第２側面部５とは反対側に位置する先端部の方が短く形成され、かつ、折り返された状態にて折返片14，15の先端部の第１開口部９側の端部が第１開口部９の周縁より内側に位置することにより、例えば、折返片14，15を折り返す際や接合する際などにずれが発生しても、折返片14，15の先端部の第１開口部９側の端部が第１開口部９の周縁から突出しにくい。したがって、折返片14，15を折り返す際や接合する際などの作業を容易にできるとともに、折返片14，15を接合した状態にて、折返片14，15の先端部の第１開口部９側の端部が第１開口部９の周縁から突出することを防止できる。また、折返片14，15の先端部の第１開口部９側の端部が第１開口部９の周縁から突出しないことにより、包装用袋１の見栄えをよくできるとともに、突出した部分が衣類などに引っ掛ることを防止できる。
【００６８】
花束Ｆは、一般的に茎側から花弁側へ向かって外側へ広がっているものであり、包装用袋１は、第１側面部４および第２側面部５が、底面部８側から第１開口部９側へ向かって幅方向の長さが長くなるように形成されているので、花束Ｆの形状に対応しやすく、花束Ｆを確実に収用できる。
【００６９】
袋本体２は、底面部８が設けられ、第１開口部９および第２開口部10が開口した袋状に構成されるので、花束Ｆに水分が付着している場合や茎に保冷剤が設けられている場合などであっても、花束Ｆや保冷剤の水分が袋本体２から袋本体２の外部へ漏出することを防止できる。
【００７０】
ここで、底面部８は、収用された花束Ｆの茎が接触する部分であり、包装用袋１を運搬する際の衝撃や、花束Ｆや保冷剤の水分などによって破損しやすい部分であるが、底面部８に補強材が設けられることにより、底面部８の耐久性や耐水性を向上できるので、衝撃や水分などによる底面部８の破損を防止できる。
【００７１】
また、補強材として防水性が良好なものを用いると、水分による破損をより確実に防止できる。
【００７２】
袋本体２は、前面部７に折畳線38が設けられ、後面部６に折畳線46が設けられることにより、前面部７が折畳線38を中心に折畳み可能であり、後面部６が折畳線46を中心に折畳み可能である。したがって、包装用袋１の不使用時には、袋本体２を薄く折り畳むことができ収納し易い。
【００７３】
なお、上記一実施の形態では、袋本体２に収用する被収用物を花束Ｆとしたが、被収用物は花束Ｆには限定されない。
【００７４】
袋本体２は、図４に示す袋本体片17に底面片を接合して形成される構成には限定されず、例えば底面片が袋本体片17に一体に設けられた構成などにしてもよい。
【００７５】
また、袋本体２は、適宜複数枚のシートを接合して製造してもよく、比較的大型の包装用袋１を製造する場合などには、図６の第２の実施の形態に示すように、第１接合部51を有する第１袋本体片52と、第２接合部53を有する第２袋本体片54とにおいて、第１接合部51を第２袋本体片54の後面片23に接合し、第２接合部53を前面片20に接合し、底面片を接合して袋本体２を形成することも可能である。
【００７６】
このように袋本体２を形成することにより、比較的大型の包装用袋１を製造する場合などでも、製造に用いる各部材の大型化を防止でき、各部材を扱い易く製造し易い。
【００７７】
第１側面部４および第２側面部５は、底面部８側から第１開口部９側へ向かって幅方向の長さが長くなるように形成された構成としたが、このような構成には限定されず、例えば、幅方向の長さが変化しない構成などにしてもよい。
【００７８】
第１側面部４および第２側面部５には、補強部12，13が設けられ、これら補強部12，13に持ち手部３を取り付ける構成としたが、このような構成には限定されず、補強部12，13を設けない構成としてもよい。このように補強部12，13を設けない構成の場合は、持ち手部３を取り付ける場所は、第１側面部４および第２側面部５であれば適宜設定できる。また、補強部12，13を設ける構成の場合は、折返片14，15はの幅方向の長さが基端部より先端部の方が短く、折り返された折返片14，15の先端部における第１開口部９側の端部が第１開口部９の周縁より底面部８側に位置する構成には限定されず、折返片14，15を矩形状に形成し、折り返された折返片14，15の第１開口部９側の端部が第１開口部９の周縁に沿った構成などにしてもよい。
【００７９】
底面部８は、内側に補強材が設けられた構成には限定されず、補強材を設けない構成にしてもよい。また、補強材を設ける場合は、補強材はシート状のものに限定されず、例えばコーティングなどにより耐久性や耐水性を向上させる構成にしてもよい。
【００８０】
第２開口部10は、前面部７側の周縁の両角部が弧状に形成された構成には限定されず、弧状に形成しない構成にしてもよい。
【００８１】
袋本体２は、折畳線38および折畳線46にて、前面部７および後面部６の長手方向に沿って折り畳み可能な構成としたが、このような構成には限定されず、例えば折畳線38および折畳線46を設けない構成などにしてもよい。
【符号の説明】
【００８２】
１    包装用袋
２    袋本体
３    持ち手部
４    第１側面部
５    第２側面部
６    後面部
７    前面部
８    底面部
９    第１開口部
10    第２開口部
12    補強部
13    補強部
14    折返片
15    折返片
Ｆ    被収用物としての花束
【図１】
0003155875.tif 000003
【図２】
0003155875.tif 000004
【図３】
0003155875.tif 000005
【図４】
0003155875.tif 000006
【図５】
0003155875.tif 000007
【図６】
0003155875.tif 000008